(57)【要約】【課題】収納ケース内の収容部を容易に取り外すことが出来るとともに、収容部が外枠部から完全に引き出される直前に使用者に気付かせることにより、収容部の落下を防ぐことができる、安全性が高く且つ使いやすいプレパラート収納ケースを提供する。【解決手段】収容部４の底板下面側の後端付近には後端指示部５が設けられるとともに、外枠部２の底板上面側の前縁付近には前縁指示部３が設けられ、収容部４の後端と後端指示部５の間、及び／又は外枠部２の前縁と前縁指示部３の間には間隙部６が設けられており、収容部４を前方に引き出して後端指示部５が前縁指示部３に当接したときに、収容部４が持ち上がり、又は沈み込むように構成されていることを特徴とするプレパラート収納ケース１である。【選択図】図５
2011022113.tif 000002
【特許請求の範囲】
【請求項１】
一の側方に開口部が設けられた直方体状の外枠部の中に、上方が開口された直方体状の収容部が挿入された引き出し式のプレパラート収納ケースであって、
前記収容部の底板下面側の後端付近には後端指示部が設けられるとともに、
前記外枠部の底板上面側の前縁付近には前縁指示部が設けられ、
収容部を前方に引き出して後端指示部が前縁指示部に当接したときに、収容部が持ち上がり、又は沈み込むように構成されていることを特徴とするプレパラート収納ケース。
【請求項２】
収容部の後端と後端指示部の間、及び／又は、外枠部の前縁と前縁指示部の間には間隙部が設けられていることを特徴とする請求項１に記載のプレパラート収納ケース。
【請求項３】
後端指示部が収容部の底板下面から垂設される突起であり、前縁指示部が外枠部の底板上面から立設される突起であり、
後端指示部と前縁指示部の突出高さの和が収容部の底板と外枠部の底板の間隔よりも大きいことを特徴とする請求項１又は２に記載のプレパラート収納ケース。
【請求項４】
後端指示部が収容部の底板下面から垂設される突起であり、前縁指示部が外枠部の底板上面に穿設される窪みであり、
後端指示部が収容部の底板と外枠部の底板の間隔保持用突起を兼ねることを特徴とする請求項１又は２に記載のプレパラート収納ケース。
【請求項５】
後端指示部が収容部の底板下面に穿設される窪みであり、前縁指示部が外枠部の底板上面から立設される突起であり、
前縁指示部が収容部の底板と外枠部の底板の間隔保持用突起を兼ねることを特徴とする請求項１又は２に記載のプレパラート収納ケース。
【請求項６】
収容部は該収容部の後端に設けられた第１後端指示部、及び該収容部の後端付近に間隙部を介して設けられた第２後端指示部を有し、
外枠部は該外枠部の前縁付近に間隙部を介して設けられた第１前縁指示部、及び該外枠部の前縁に設けられた第２前縁指示部を有し、
収容部の引き出し時には第１後端指示部と第１前縁指示部が当接し、第２後端指示部と第２前縁指示部が当接するように構成されていることを特徴とする請求項２乃至請求項５のいずれかに記載のプレパラート収納ケース。
【請求項７】
収容部の後端に外枠部側面の開口部と略同じ高さの転落防止部が設けられていることを特徴とする請求項１乃至請求項６のいずれかに記載のプレパラート収納ケース。
【発明の詳細な説明】
【技術分野】
【０００１】
本発明は、病理組織等の生物標本の薄片が貼り付けられた顕微鏡観察用のプレパラートを収納できるプレパラート収納ケースに係り、特に、収納ケース内の収容部を容易に取り外すことが出来るとともに、収容部が外枠部から完全に引き出される前に、使用者に対し警報を発することにより、収容部の落下事故を防止することができる、安全性が高く且つ使いやすいプレパラート収納ケースに関する。
【背景技術】
【０００２】
生物組織、例えば病理組織の検査は、患者の患部より切除した組織を通常、カセットと称される多数の透孔を有する容器内に入れ、ホルマリン液等により薬液処理した後、包埋トレイと称される容器内に薬液処理した組織を入れた後、包埋トレイの上にカセットを載せ、カセットの上方から溶融パラフィンを包埋トレイ内に流下させ、カセット底部の外側に、組織を包埋したパラフィンブロックが付着した所謂包埋ブロックとされる。この包埋ブロックは、ミクロトームと称される装置の上に組織を包埋するパラフィンブロックを上にして固定された後、薄切りし、切り出した組織片をスライドガラスに載せ、染色を施してカバーガラスを被せ、得られたプレパラートは顕微鏡で観察される。
【０００３】
上記のようにして作成したプレパラートは、再検査の際などに利用できるように、プレパラートケースに収納して保管される。そして、病理組織を再度、観察したい場合、プレパラートケースから所定のプレパラートを取り出して顕微鏡で観察される。
【０００４】
包埋ブロックやスライドガラス（プレパラート）などの試料を整理するための整理ケースとして、多数の包埋ブロックを平面視して縦横に区画して収容する包埋ブロック収納部と、スライドガラスを収容するスライドガラス収納部と、を備え、包埋ブロック収納部による包埋ブロックの配列に、スライドガラス収納部によるスライドガラスの配列を対応させてある整理ケースが提案されている（特許文献１）。
【０００５】
しかしながら、上記特許文献１のような整理ケースでは、目的とする包埋ブロックやスライドガラスを取り出しやすいものの、包埋ブロックやスライドガラスを寝かせた状態で収納するため、包埋ブロック一個当り、又は、スライドガラス一枚当りの必要スペースはかなり大きくなってしまう。しかも、使用済み包埋ブロックや使用済みスライドガラスは大量に発生するが、これらの再検査の頻度はそれほど高くないので、使用頻度が低い試料に大きな保存スペースが必要になるという不都合が生じる。
【０００６】
一方、外枠部内に収納された収容部を引き出し式に引き出すことができ、該収容部の底部付近に長手方向にコイル状のスプリングを張設し、このスプリングにスライドガラスを挟み込む標本マルチラックが販売されている（非特許文献１）。
このようなラックはスライドガラスを垂直に立てて収納するので、小さなスペースに大量のプレパラートを収納することができる。また、必要に応じ、引き出しを外枠部から完全に取り外した状態で持ち運ぶことができるので便利である。
この種の標本マルチラックでは、引き出しの前面に取っ手が設けられ、収容部を引き出す際はこの取っ手に指を引っ掛けて引っ張るように構成されており、該収容部を取り外す際には収容部の大半が引き出され、且つ後端がまだ外枠部内に残っている状態で手を収容部の下に添えて持ち上げるようにされている。
しかしながら、このようなラックでは、取っ手をどこまで引っ張れば収容部の後端が外枠部から外れるのか見当を付け難く、誤って引っ張りすぎて収容部の下に手を添える前に収容部の後端が外枠部から外れてしまい、収容部を落下させて貴重な資料を台無しにする恐れがある。
また、プレパラートはガラス製であり、各ラック内には大量のプレパラートが収納され重量も大きいため、これが作業者の足の上にでも落下すれば大怪我する場合もある。
【先行技術文献】
【特許文献】
【０００７】
【特許文献１】特開２００７−２５５８９６号公報
【非特許文献】
【０００８】
【非特許文献１】はぎてんネット、標本マルチラック、[ 平成２１年３月１２日検索] 、インターネット＜URL ：http://www.hagitec.co.jp/hagiten/as/as2/as465.ht＞
【発明の概要】
【発明が解決しようとする課題】
【０００９】
本発明はかかる実情に鑑み、従来技術の上記問題点を解消し、小さなスペースに大量のプレパラートを収納でき、必要に応じ内部の収容部を取り外すことができるとともに、該収容部を外枠部から取り外す際に、収容部を引き出しすぎて落下させる事故を防ぐことができる、安全性に優れたプレパラート収納ケースを提供することを課題とする。
【課題を解決するための手段】
【００１０】
上記目的を達成するために、本発明の請求項１は、一の側方に開口部が設けられた直方体状の外枠部の中に、上方が開口された直方体状の収容部が挿入された引き出し式のプレパラート収納ケースであって、前記収容部の底板下面側の後端付近には後端指示部が設けられるとともに、前記外枠部の底板上面側の前縁付近には前縁指示部が設けられ、収容部を前方に引き出して後端指示部が前縁指示部に当接したときに、収容部が持ち上がり、又は沈み込むように構成されていることを特徴とするプレパラート収納ケースを内容とする。
【００１１】
本発明の請求項２は、収容部の後端と後端指示部の間、及び／又は、外枠部の前縁と前縁指示部の間には間隙部が設けられていることを特徴とする請求項１に記載のプレパラート収納ケースを内容とする。
【００１２】
本発明の請求項３は、後端指示部が収容部の底板下面から垂設される突起であり、前縁指示部が外枠部の底板上面から立設される突起であり、後端指示部と前縁指示部の突出高さの和が収容部の底板と外枠部の底板の間隔よりも大きいことを特徴とする請求項１又は２に記載のプレパラート収納ケースを内容とする。
【００１３】
本発明の請求項４は、後端指示部が収容部の底板下面から垂設される突起であり、前縁指示部が外枠部の底板上面に穿設される窪みであり、後端指示部が収容部の底板と外枠部の底板の間隔保持用突起を兼ねることを特徴とする請求項１又は２に記載のプレパラート収納ケースを内容とする。
【００１４】
本発明の請求項５は、後端指示部が収容部の底板下面に穿設される窪みであり、前縁指示部が外枠部の底板上面から立設される突起であり、前縁指示部が収容部の底板と外枠部の底板の間隔保持用突起を兼ねることを特徴とする請求項１又は２に記載のプレパラート収納ケースを内容とする。
【００１５】
本発明の請求項６は、収容部は該収容部の後端に設けられた第１後端指示部、及び該収容部の後端付近に間隙部を介して設けられた第２後端指示部を有し、外枠部は該外枠部の前縁付近に間隙部を介して設けられた第１前縁指示部、及び該外枠部の前縁に設けられた第２前縁指示部を有し、収容部の引き出し時には第１後端指示部と第１前縁指示部が当接し、第２後端指示部と第２前縁指示部が当接するように構成されていることを特徴とする請求項２乃至請求項５のいずれかに記載のプレパラート収納ケースを内容とする。
【００１６】
本発明の請求項７は、収容部の後端に外枠部側面の開口部と略同じ高さの転落防止部が設けられていることを特徴とする請求項１乃至請求項６のいずれかに記載のプレパラート収納ケースを内容とする。
【発明の効果】
【００１７】
本発明によるプレパラート収納ケースは、収容部の底板下面後端には後端指示部が設けられ、外枠部の底板上面前縁付近には前縁指示部が設けられ、収容部を前方に引き出して後端指示部が前縁指示部に当接したときに、収容部が持ち上がり、又は沈み込むよう構成されているので、収容部が持ち上がり、又は沈み込んだ感触が取っ手を持つ使用者の手指に伝わり、この感触が警報として作用して、使用者はそれ以上引っ張ると収容部が落下する危険があることを知り、収容部が落下しないように収容部の下に手を添えることができる。その結果、誤って引っ張りすぎて収容部を落下させる事故が未然に防がれ、安全性が高まる。
【００１８】
収容部の後端と後端指示部の間、及び／又は、外枠部の前縁と前縁指示部の間に間隙部を設けることにより、収容部が持ち上がり、又は沈み込んで警告を発した後、収容部が間隙部を引き出される間の時間的に猶予が与えられ、収容部の下に手を添える等の適切な落下防止手段をとることができる。
【００１９】
後端指示部として収容部の底板下面に突起を垂設するとともに、前縁指示部として外枠部の底板上面から突起を立設し、後端指示部と前縁指示部の突出高さの和を収容部の底板と外枠部の底板の間隔よりも大きくすれば、収容部を引き出す際に収容部の後端が外枠部の前縁に近づいて、後端指示部が前縁指示部に当接し、この状態から更に収容部を引き出せば後端指示部が前縁指示部を乗り越え、その分収容部が持ち上がる。この収容部が持ち上がった感触は取っ手を引っ張る使用者の指に伝わるので、この感触が警報になって収容部の後端が外枠部の前縁に近づいた事を知ることができ、引っ張るのをやめて収容部の下に手を添える等の落下防止措置を取ることができる。
【００２０】
後端指示部を収容部の底板下面から垂設される突起とし、前縁指示部を外枠部の底板上面に穿設される窪みとし、後端指示部が収容部の底板と外枠部の底板の間隔保持用突起を兼ねるようにすれば、収容部を引き出す際、後端指示部が前縁指示部に近づく前は後端指示部で収容部全体が支えられ、収容部が外枠部から抜け落ちそうになると、後端指示部の突起がが前縁指示部の窪みに落ち込み、収容部が沈み込む。この収容部が沈み込む感触は取っ手を引っ張る使用者の指に伝わるので、この感触が警報になって収容部の後端が外枠部の前縁に近づいた事を知ることができる。
また、後端指示部が収容部の底板下面に穿設される窪みであるとともに、前縁指示部が外枠部の底板上面から垂設される突起であり、前縁指示部の突出高さが収容部の底板と外枠部の底板の間隔に略等しい場合も、同様である。
【００２１】
後端指示部と前縁指示部をそれぞれ２組設け、第２の後端指示部を収容部の後端付近に設け、第２の前縁指示部を外枠部の前縁に設ければ、収容部を斜め上方に引っ張った場合、及び斜め下方に引っ張った場合にも支障なく警報を発することができ、その結果、水平方向、斜め上方、斜め下方のいずれの方向に引っ張った場合でも収容部の落下事故を防止することができ、安全性が一層高められる。
【図面の簡単な説明】
【００２２】
【図１】図１は本発明のプレパラート収納ケースの実施例を示す斜視図である。
【図２】図２（ａ）は図１の外枠部のＡ−Ａ断面図であり、図２（ｂ）は図１の収容部のＡ−Ａ断面図である。
【図３】図３（ａ）は図２（ａ）のＢ−Ｂ断面図であり、図３（ｂ）は図２（ｂ）のＣ−Ｃ断面図である。
【図４】図４（ａ）は図２（ａ）の外枠部の底板上面を示す平面図であり、図４（ｂ）は図２（ｂ）の収容部の底板下面を示す底面図である。
【図５】図５（ａ）（ｂ）は図４（ａ）（ｂ）の外枠部及び収容部からなるプレパラート収納ケースにおいて収容部を水平方向に引き出す状態を示す説明断面図である。
【図６】図６（ａ）（ｂ）は図４（ａ）（ｂ）に示された外枠部及び収容部とほぼ同様で、前縁指示部と後端指示部の数だけを変更したプレパラート収納ケースにおいて収容部を水平方向に引き出す状態を示す説明断面図である。
【図７】図７（ａ）（ｂ）は図４（ａ）（ｂ）とは別の外枠部及び収容部の組み合わせを示す、外枠部の底板上面の平面図及び収容部の底板下面の底面図である。
【図８】図８（ａ）（ｂ）はさらに別の外枠部及び収容部の組み合わせを示す、外枠部の底板上面の平面図及び収容部の底板下面の底面図である。
【図９】図９（ａ）（ｂ）はさらに別のプレパラート収納ケースにおいて収容部を引き出す状態を示す説明断面図である。
【図１０】図１０（ａ）（ｂ）はさらに別のプレパラート収納ケースにおいて収容部を引き出す状態を示す説明断面図である。
【図１１】図１１（ａ）（ｂ）は図５と同様のプレパラート収納ケースにおいて収容部を斜め上方向に引き出す状態を示す説明断面図である。
【図１２】図１２（ａ）（ｂ）は図５と同様のプレパラート収納ケースにおいて収容部を斜め下方向に引き出す状態を示す説明断面図である。
【図１３】図１３（ａ）は図１２（ｂ）の場面を収容部の側面からみた説明側面図であり、（ｂ）は（ａ）の場面からさらに収容部を引き出した状態を示す説明側面図である。
【図１４】図１４（ａ）は取っ手孔を被覆する防塵カバーの一例を示す説明側面図であり、（ｂ）は（ａ）の取っ手孔に指を挿入した状態を示す説明側面図である。
【図１５】図１５（ａ）は収容部の一例を示す平面図であり、（ｂ）は（ａ）のＤ−Ｄ断面図である。
【発明を実施するための形態】
【００２３】
本発明のプレパラート収納ケース１は、図１乃至図４に示したように、一の側方に開口部２ｂが設けられた直方体状の外枠部２の中に、上方が開口された直方体状の収容部４が挿入された引き出し式のプレパラート収納ケース１であって、前記収容部４の底板下面側の後端付近には後端指示部５が設けられるとともに、前記外枠部２の底板上面側の前縁付近には前縁指示部３が設けられ、収容部４の後端と後端指示部５の間、及び／又は外枠部２の前縁と前縁指示部３の間には間隙部６が設けられており、収容部４を前方に引き出して後端指示部５が前縁指示部３に当接したときに、収容部４が持ち上がり、又は沈み込むように構成されていることを特徴とする。
【００２４】
本発明で使用する外枠部２は、プレパラートを収納した収容部４を収容可能な、直方体状の箱型部材である。この外枠部２は一の側方に開口部２ｂが設けられており、図１に示すように、その開口部２ｂから収容部４を引き出し状に出し入れできるようになっている。
また収容部４はプレパラートを収納可能な、直方体状の箱型部材である。この収容部は上方が開口されており、その開口からプレパラートをコンパクトに収納できるようになっている。
なお、プレパラートは一般にかなり小さく、また数が多いので、これらを整理して収納しやすいように、通常は、一個の外枠部２内に数個の細長い収容部４が収容されるとともに、それぞれの収容部４に個別の引き出し方向規制手段が設けられて、正しい方向に収容部４を引き出すことができるようにされている（本明細書において、前後、左右、上下等の方向は収容部４の引き出し方向を基準とする）。
図１乃至図４に示した実施例においては、引き出し方向規制手段として、外枠部２の底板上面に設けられた２本のレール２ａと、収容部４の底板下面の両縁に設けられたガイドリブ４ｂが用いられ、これにより収容部４の横滑りを防ぎ、収容部４を確実に前後方向に出し入れできるようにされている。
【００２５】
本発明においては、収容部４の底板下面後端に設けられた後端指示部５及び外枠部２の底板上面前縁付近に設けられた前縁指示部３を用いて、収容部４を引き出す際、外枠部２から完全に抜け落ちる前に収容部４が持ち上がり、又は沈み込むようにされ、その感触が使用者の指に伝わって警報として働き、収容部４が抜け落ちる前に収容部４の引き出しを止め、或いは収容部４の下に手を添えることができるようになっている。
【００２６】
具体的な構成としては、例えば図２乃至図４に示すように、後端指示部５を収容部４の底板下面後端から垂設される突起とするとともに、前縁指示部３を外枠部２の底板上面前縁付近から立設される突起とする。例えば、後端指示部５の突起の突出高さＨ１（例えば２ｍｍ）と前縁指示部３の突起の突出高さＨ２（例えば３ｍｍ）の和を収容部４の底板と外枠部２の底板の間隔Ｈ３（例えば４ｍｍ）よりも大きくする（上記の例では２＋３＝５ｍｍ）構成が例示できる。なお、図２乃至図４に示した例では、後端指示部５及び前縁指示部３として、第１のものと第２のものがそれぞれ設けられているが、以下の説明は主に第１のものに基づいて行っており、第２については後述する。
このようにすれば、図５（ａ）に示したように、後端指示部５と前縁指示部３が当接する前は収容部４をスムースに引き出すことができるが、図５（ｂ）に示したように、後端指示部５と前縁指示部３が当接すれば、後端指示部５が前縁指示部３を乗り越えるので収容部４は一定高さだけ持ち上がり（上記の例ではＨ１＋Ｈ２−Ｈ３＝２＋３−４＝１ｍｍ持ち上がる）、この感触が使用者の指に伝わるので、これが警報となり、使用者はこれ以上収容部４を引っ張ると落下の危険があることを知る。
【００２７】
また、収容部４の後端と後端指示部５の間、及び／又は外枠部２の前縁と前縁指示部３の間には間隙部６が設けられている（図５では外枠部２の前縁と前縁指示部３（第１前縁指示部３ａ）の間、及び収容部４の後端と第２後端指示部５ｂの間）ので、収容部４が持ち上がり、又は沈み込んですぐに収容部４が外枠部２から脱落するのではなく、時間的な猶予が与えられ、この間に収容部４の下に手を添える等、必要な措置を取ることができる。
【００２８】
なお、図２乃至図４に示した例では、収容部４の底板と外枠部２の底板の間隔Ｈ３は、当該間隔Ｈ３と同じ高さのガイドリブ４ｂにより保持されているが、この方法に限定されず、例えばレール２ａを当該間隔Ｈ３と同じ高さにしてもよいし、その他、間隔保持用の突起等を別途設けてもよい。
【００２９】
後端指示部５及び前縁指示部３としての突起はそれぞれ一個づつ設ければ十分であるが、より強い警報を発するために、後端指示部５、前縁指示部３のいずれか、又は両方を２以上連設することもでき、図２乃至図４に示した例では前縁指示部３が突起を３つ連設した形状とされている。この場合、使用者には、単に収容部４が持ち上がり、または沈み込む感触だけでなく、ガタガタと振動するような感触が伝わり、より強い警報として感じられる。このような効果は、図６に示すように、前縁指示部３を１つにして後端指示部５を３つ連設した形状としても得ることができる。
【００３０】
図２乃至図４に示した例において、後端指示部５及び前縁指示部３として使用される突起は双方とも収容部４の引き出し方向に対して横長とされているが、突起の形状についてはこれに限られず、例えば半球状の突起を設けてもよい。なお、後端指示部５が前縁指示部３を乗り越え易くするように、これらの突起における収容部の前後の面は斜面状としておくほうが好ましい。
また、上記の例では、収容部４を引き出す際には、後端指示部５及び前縁指示部３として使用される突起が互いに正面から衝突するように構成されているが、これに限らず、例えば図７に示したように、突起として斜め方向に長いものを設け、これらの突起が斜めに衝突するようにしてもよい。
或いは、図８に示したように、後端指示部５及び前縁指示部３を左右２列に設けるとともに、これらのいずれか一方又は両方を前後にずらして配置することにより、収容部４の引き出し時に後端指示部５及び前縁指示部３が当接するタイミングを左右でずらすようにしてもよい。
なお、後端指示部５及び前縁指示部３を斜めに設けたり、左右２列に設けて左右で後端指示部５及び前縁指示部３が当接するタイミングをずらすと、収容部４に横向きの応力が加わり、引き出し方向規制手段（図２乃至図４に示した例ではレール２ａ及びガイドリブ４ｂ）がスムースに滑らなくなるのでブレーキのように機能する。従って、例え勢いよく収容部４を引っ張ったとしても、外枠部２から外れる寸前にその勢いが削がれるので、該収容部４が不意に脱落する危険が減少する。
【００３１】
以上、後端指示部５及び前縁指示部３を双方とも突起とする構成について説明したが、後端指示部５、前縁指示部３のいずれか一方を窪みにしても同様の効果が得られる。
例えば、図９（ａ）に示すように、後端指示部５を収容部４の底板下面後端から垂設される突起とするとともに、前縁指示部３を外枠部の底板上面前縁付近に穿設される窪みとし、後端指示部５が収容部の底板と外枠部の底板の間隔保持用突起を兼ねるようにすれば、後端指示部５と前縁指示部３が当接する前は収容部４をスムースに引き出すことができるが、図９（ｂ）に示したように、後端指示部５と前縁指示部３が当接すれば、後端指示部５が前縁指示部３の中に落ちこみ、これにより収容部４が沈み込み、この感触が警報となって使用者の指に伝わるので、使用者はこれ以上収容部４を引っ張ると落下の危険があることを知る。
【００３２】
また、図１０（ａ）に示すように、後端指示部５を収容部４の底板下面に穿設される窪みとするとともに、前縁指示部３を外枠部２の底板上面から立設される突起とし、前縁指示部３が収容部４の底板と外枠部２の底板の間隔保持用突起を兼ねるようにすれば、後端指示部５と前縁指示部３が当接する前は収容部４をスムースに引き出すことができるが、図１０（ｂ）に示したように、後端指示部５と前縁指示部３が当接すれば、後端指示部５の内部に前縁指示部３の先端が入り込み、これにより収容部４が沈み込み、この感触が警報となって使用者の指に伝わるので、使用者はこれ以上収容部４を引っ張ると落下の危険があることを知る。
【００３３】
なお、図９及び図１０に示すように、後端指示部５及び前縁指示部３のいずれか一方が間隔保持用突起を兼ねるようにし、他方を窪みとした場合でも、双方を突起とした場合と同様、後端指示部５及び前縁指示部３のいずれか一方又は両方を複数設けて、収容部４が振動するようにしてもよいし、後端指示部５及び前縁指示部３を斜めに設けたり、左右２列に設けて左右で後端指示部５及び前縁指示部３が当接するタイミングをずらすこともできる。
【００３４】
以上、収容部４を引き出す際に、収容部４を水平方向に引っ張る例について説明したが、以下、収容部４を斜め上方、又は斜め下方に引っ張る例について説明する。
図１１（ａ）（ｂ）に示したように、後端指示部５を収容部４の後端に設けた場合、収容部４を斜め上方に引っ張っても後端指示部５は前縁指示部３に衝突して、この前縁指示部３を乗り越えるため、収容部４は持ち上がり、警報として作用する。
しかしながら、図１２（ａ）に示したように、収容部４を斜め下方に引っ張った場合、前縁指示部３と衝突する前に収容部４の後端が浮き上がり、そのまま収容部４を引っ張っても、図１２（ｂ）に示したように、後端指示部５が前縁指示部３の上を通過して、警報として作用しない危険性が生じる。
このように、収容部４を斜め下方に引っ張ることが予想される場合には、図１３（ａ）に示すように、外枠部２の前縁に前縁指示部３（第２前縁指示部３ｂ）を設けるとともに、間隙部６は収容部４の後端と後端指示部５（第２後端指示部５ｂ）の間に設けるようにする。但し、この場合、収容部４を斜め上方に引っ張ったときに、前縁指示部３と衝突する前に収容部４の後端が浮き上がり、後端指示部５が前縁指示部３の上を通過して、警報として作用しない危険性が生じる。
従って、収容部４を斜め上方及び斜め下方のいずれにも引っ張る可能性がある場合には、例えば図４（ａ）（ｂ）に示したように、収容部４の後端に設けられた第１後端指示部５ａと、外枠部２の前縁付近に間隙部６を介して設けられた第１前縁指示部３ａを用いることにより、収容部４を斜め上方に引っ張ったときにも確実に警報が発生するようにし、さらに収容部４の後端付近に間隙部６を介して設けられた第２後端指示部５ｂと、外枠部２の前縁に設けられた第２前縁指示部３ｂを用いることにより、収容部４を斜め下方に引っ張ったときにも確実に警報が発生するようにすればよい。
このように構成することにより、収容部４を水平方向、斜め上方、斜め下方のいずれの方向に引っ張ったとしても確実に警報が発せられ、一層安全に収容部４を引き出すことができる。
【００３５】
なお、本実施例における第２後端指示部５ｂはガイドリブ４ｂに設けられた切欠であり、収容部４の後端から間隙部６を介して設けられている。また、本実施例における第２前縁指示部３ｂは外枠部２の前縁に設けられており、前縁のすぐ後の部分を切削して浮き彫りにより突出させた突起である。
収容部４を斜め下方に引っ張った場合、図１３（ａ）に示したように、第２後端指示部５ｂとしての切欠の中に第２前縁指示部３ｂとしての突起が入り込み、これにより収容部４が一瞬沈み込み、警報として機能する。
【００３６】
本発明においては、収容部４の後端に外枠部側面の開口部と略同じ高さの転落防止部を設けることにより、収容部４を斜め下方に引っ張った場合であっても、収容部４が転落するのを防止することができる。
即ち、収容部４を斜めに引っ張った場合、収容部４の前部が下がって傾斜状となり、収容部４の底板と外枠部２の前縁とで滑ってしまい、更に収容部４の内容物の重みも加わって、使用者の予想を越える勢いで収容部４が引き出されてしまうことがあるが、このような場合に開口部２ｂと略同じ高さの転落防止部４ａが設けられていれば、図１３（ｂ）に示したように、転落防止部４ａの上端が開口部２ｂの上端に当接するため、収容部４の飛び出しが防止される。
なお、図２乃至図４に示した実施例においては、収容部４の前後側の側壁を開口部２ｂと同じ高さとし、左右側の側壁をそれより低くして、後側の側壁における左右側の側壁の上端よりも上の部分を転落防止部４ａとして利用している。
【００３７】
収容部４の前側の側板４ｃ（以後、前板４ｃと称することがある）には、収容部４を引き出しやすくするための取っ手を設けるのが好ましい。取っ手の形状は特に限定されないが、前板３ａから突設する形状の取っ手の場合は衣服等が取っ手に引っ掛かる可能性があるので、手指を挿入して収容部４の内側に引っ掛けて引っ張ることができるように、取っ手孔４ｄを穿設する方法が好ましい。
【００３８】
取っ手孔４ｄを設けた場合、その取っ手孔４ｄから塵や埃が侵入するのを防ぐため、防塵カバー４ｅを取っ手孔４ｄに覆設するのが好ましい。防塵カバー４ｅの形状及び構造は、通常時には取っ手孔４ｄを被覆するとともに、収容部４を引き出す際には移動又は変形して取っ手孔４ｄから指を挿入できるようになる限り、特に限定されないが、例えば図１４（ａ）（ｂ）に示すように、取っ手孔４ｄの裏側に覆設した弾性を有する樹脂シート（厚さ０．３ｍｍ程度のポリプロピレン、ＰＥＴ等）を防塵カバー４ｅとする方法が挙げられる。なお、この例では防塵カバー４ｅの下側だけが接着剤等で固着されているので、取っ手孔４ｄに指を挿入したとき防塵カバー４ｅは内側に撓み、指を抜き出すと元の形状に戻って取っ手孔４ｄを塞ぎ、塵や埃の侵入を防ぐようになっている。
【００３９】
収容部４の内部には、当該収容部４の形状や大きさによっては、図１５（ａ）（ｂ）に示すような、プレパラートを整理整頓するためのの縦仕切り４ｆ、横仕切り４ｇを設けることができる。なお、本例における縦仕切り４ｆは収容部４の長さ方向に延設されており、当該縦仕切り４ｆと側壁との間隔が、プレパラートの幅よりも若干広い程度であってプレパラートを立てた状態で収納できるとともに、縦仕切り４ｆ及び側壁に沿って当該プレパラートを隙間無く重ねて配列できるように構成されている。
また、本例における横仕切り４ｇは前記縦仕切り４ｆの直交方向に設けられており、収容部４内を区分けするとともに、収容部４内のプレパラートの枚数が少ない場合には、このプレパラートを立てた状態で保管するための支持具として用いることができる。但し、保管するプレパラートの種類が少なく、細かく区分けする必要がない場合や、枚数が多い場合には横仕切り４ｇは不用なので、取り外しができるようにしておくのが好ましい。
【００４０】
収容部４の底板上面に凸条４ｈを設け、プレパラートをこの凸条の上に載置するようにしてもよい。この場合、例えばスライドガラスの上にカバーガラスを固着するための接着剤が垂れて収容部４の底面に溜まったとしても、プレパラートが収容部４に接着されてしまうようなトラブルを防止することができる。
なお、凸条４ｈの形状は特に限定されないが、図１５（ａ）（ｂ）に示したように、プレパラートの配列方向に延設された２本の直線状とすれば、形状が簡単で安価に製造でき、清掃もしやすいので好ましい。
【産業上の利用可能性】
【００４１】
叙上のとおり、本発明のプレパラート収納ケースによれば、収容部の底板下面側の後端付近に後端指示部が設けられるとともに、外枠部の底板上面側の前縁付近に前縁指示部が設けられ、収容部を前方に引き出して後端指示部が前縁指示部に当接したときに、収容部が持ち上がり、又は沈み込むように構成されているので、収納ケース内の収容部を容易に取り外すことが出来るとともに、収容部が外枠部から完全に引き出され落下する前に警報を発して使用者に気付かせることにより、収容部の落下を防ぐことができ、安全性が高く且つ使いやすいプレパラート収納ケースとして頗る有用である。
【符号の説明】
【００４２】
１  プレパラート収納ケース
２  外枠部
２ａ  レール
２ｂ  開口部
３  前縁指示部
３ａ  第１前縁指示部
３ｂ  第２前縁指示部
４  収容部
４ａ  転落防止部
４ｂ  ガイドリブ（間隔保持用リブ）
４ｃ  前側の側板（前板）
４ｄ  取っ手孔
４ｅ  防塵カバー
４ｆ  縦仕切り
４ｇ  横仕切り
４ｈ  凸条
５  後端指示部
５ａ  第１後端指示部
５ｂ  第２後端指示部
６  間隙部
【図１】
2011022113.tif 000003
【図２】
2011022113.tif 000004
【図３】
2011022113.tif 000005
【図４】
2011022113.tif 000006
【図５】
2011022113.tif 000007
【図６】
2011022113.tif 000008
【図７】
2011022113.tif 000009
【図８】
2011022113.tif 000010
【図９】
2011022113.tif 000011
【図１０】
2011022113.tif 000012
【図１１】
2011022113.tif 000013
【図１２】
2011022113.tif 000014
【図１３】
2011022113.tif 000015
【図１４】
2011022113.tif 000016
【図１５】
2011022113.tif 000017